(57)【特許請求の範囲】
【請求項１】
デバイス本体、及び前記デバイス本体から突出するＵＳＢプラグを有し、電子機器に備わるＵＳＢレセプタクルに前記ＵＳＢプラグを挿入することによって前記電子機器に接続されるＵＳＢデバイスと、
前記ＵＳＢデバイスを前記電子機器に固定するための固定部材と、
を備えたＵＳＢデバイスの接続構造であって、
前記ＵＳＢデバイスの前記デバイス本体には、前記ＵＳＢレセプタクルから前記ＵＳＢプラグを離脱させる方向と交差する方向に凹んだ凹部が形成され、
前記固定部材は、前記電子機器に固定されるとともに、前記凹部に嵌挿される凸部を備え、
前記デバイス本体の前記凹部には、前記ＵＳＢプラグを挿入する方向側の内壁に、入り口側が狭くなるような段差が形成されており、
前記固定部材の前記凸部には、前記凹部の段差に係合するために、前記ＵＳＢプラグを挿入する方向側の端面に、根元側が狭くなるような段差が形成されていることを特徴とするＵＳＢデバイスの接続構造。
【請求項２】
請求項１に記載のＵＳＢデバイスの接続構造であって、
前記デバイス本体の前記凹部は、前記ＵＳＢプラグの横に形成されていることを特徴とするＵＳＢデバイスの接続構造。
【請求項３】
請求項２に記載のＵＳＢデバイスの接続構造であって、
前記ＵＳＢデバイスは、無線通信を行うための無線通信デバイスであることを特徴とするＵＳＢデバイスの接続構造。
【請求項４】
ＵＳＢレセプタクルを有する電子機器と、
デバイス本体、及び前記デバイス本体から突出するＵＳＢプラグを有し、前記ＵＳＢレセプタクルに前記ＵＳＢプラグを挿入することによって前記電子機器に接続されるＵＳＢデバイスと、
前記ＵＳＢデバイスを前記電子機器に固定するための固定部材と、
を備えた電子機器システムであって、
前記ＵＳＢデバイスの前記デバイス本体には、前記ＵＳＢレセプタクルから前記ＵＳＢプラグを離脱させる方向と交差する方向に凹んだ凹部が形成され、
前記固定部材は、前記電子機器に固定されるとともに、前記凹部に嵌挿される凸部を備え、
前記デバイス本体の前記凹部には、前記ＵＳＢプラグを挿入する方向側の内壁に、入り口側が狭くなるような段差が形成されており、
前記固定部材の前記凸部には、前記凹部の段差に係合するために、前記ＵＳＢプラグを挿入する方向側の端面に、根元側が狭くなるような段差が形成されていることを特徴とする電子機器システム。
【請求項５】
デバイス本体、及び前記デバイス本体から突出するＵＳＢプラグを有し、電子機器に備わるＵＳＢレセプタクルに前記ＵＳＢプラグを挿入することによって前記電子機器に接続されるＵＳＢデバイスであって、
前記デバイス本体には、前記ＵＳＢレセプタクルから前記ＵＳＢプラグを離脱させる方向と交差する方向に凹んだ凹部が形成され、
前記凹部には、前記ＵＳＢプラグを挿入する方向側の内壁に、入り口側が狭くなるような段差が形成されており、
前記凹部には、前記ＵＳＢデバイスを前記電子機器に固定するための固定部材に備わる凸部であって、前記凹部の段差に係合するために、前記ＵＳＢプラグを挿入する方向側の端面に根元側が狭くなるような段差が形成されている前記凸部、が嵌挿されることを特徴とするＵＳＢデバイス。
【発明の詳細な説明】
【技術分野】
【０００１】
本発明は、電子機器に接続されるＵＳＢデバイス、ＵＳＢデバイスの接続構造、及び電子機器システムに関する。
【背景技術】
【０００２】
近年、コンピューターをはじめとする様々な電子機器において、ＵＳＢデバイスを接続するためのＵＳＢレセプタクル（受け側のコネクター）が搭載されるようになっており、このＵＳＢレセプタクルに記憶デバイス（ＵＳＢメモリー）を接続して、データの授受を行ったり、無線通信デバイスを接続して、電子機器に無線通信機能を付加したりすることが可能になっている。このようなＵＳＢデバイスのうち、デバイス本体からＵＳＢプラグ（挿し側のコネクター）が突出し、このＵＳＢプラグをＵＳＢレセプタクルに挿入する態様のＵＳＢデバイスは、ケーブルが不要であるため取り扱いが容易であり、小型で可搬性に優れている。ただし、このようなＵＳＢデバイスを常に接続した状態にしている場合には、ＵＳＢデバイスが盗まれてしまう恐れがある。
【０００３】
特許文献１には、接続されたＵＳＢプラグをロックするためのロック機構をＵＳＢレセプタクル内に設けることによって盗難を防止する技術が提案されている。この技術を用いれば、同じくＵＳＢレセプタクル内に設けられた解除装置によってロックを解除するまで、ＵＳＢデバイスを離脱させることができなくなるため、ＵＳＢデバイスの盗難を防ぐことが可能となる。また、一般的な盗難防止技術としては、切断が困難な金属ワイヤーによって、盗難を防ぎたいもの（この場合には、ＵＳＢデバイス）を、運搬が困難なもの（机等）に連結すること等が行われている。
【先行技術文献】
【特許文献】
【０００４】
【特許文献１】特開２００６−１３３９２０号公報
【発明の概要】
【発明が解決しようとする課題】
【０００５】
しかしながら、特許文献１で提案されている技術では、ＵＳＢレセプタクル内にロック機構や解除機構が必要になるため、一般的なＵＳＢレセプタクルに比べて構造が複雑になり、電子機器のコストが上昇してしまうという問題を有している。また、金属ワイヤーでＵＳＢデバイスを連結する態様では、金属ワイヤーを接続するための構造がＵＳＢデバイスに必要になるため、ＵＳＢデバイスが大型化してしまううえ、ＵＳＢデバイスが無線通信デバイスである場合には、金属による反射や遮蔽のために、通信性能が低下してしまう恐れもある。
【課題を解決するための手段】
【０００６】
本発明は、上述の課題の少なくとも一部を解決するためになされたものであり、以下の形態又は適用例として実現することが可能である。
【０００７】
［適用例１］本適用例に係るＵＳＢデバイスの接続構造は、デバイス本体、及び前記デバイス本体から突出するＵＳＢプラグを有し、電子機器に備わるＵＳＢレセプタクルに前記ＵＳＢプラグを挿入することによって前記電子機器に接続されるＵＳＢデバイスと、前記ＵＳＢデバイスを前記電子機器に固定するための固定部材と、を備えたＵＳＢデバイスの接続構造であって、前記ＵＳＢデバイスの前記デバイス本体には、前記ＵＳＢレセプタクルから前記ＵＳＢプラグを離脱させる方向と交差する方向に凹んだ凹部が形成され、前記固定部材は、前記凹部に嵌挿される凸部を備えるとともに、前記電子機器に固定されることを特徴とする。
【０００８】
このＵＳＢデバイスの接続構造によれば、ＵＳＢデバイスのデバイス本体に、ＵＳＢプラグを離脱させる方向と交差する方向に凹んだ凹部が形成され、この凹部には、電子機器に固定される固定部材の凸部が嵌挿される。この結果、ＵＳＢレセプタクルからＵＳＢデバイスを離脱させることができなくなり、ＵＳＢデバイスの盗難を簡単な構成で防止することが可能となる。
【０００９】
［適用例２］上記適用例に係るＵＳＢデバイスの接続構造において、前記デバイス本体の前記凹部は、前記ＵＳＢプラグの横に形成されていることが望ましい。
【００１０】
このＵＳＢデバイスの接続構造によれば、凹部がＵＳＢプラグの横、即ちデバイス本体の基端部（電子機器に近い側の端部）に形成されているため、固定部材は、デバイス本体の先端部（基端部の反対側端部）まで延在する必要はなく、固定部材を小型化することが可能となる。
【００１１】
［適用例３］上記適用例に係るＵＳＢデバイスの接続構造において、前記ＵＳＢデバイスは、無線通信を行うための無線通信デバイスであってもよい。
【００１２】
このＵＳＢデバイスの接続構造によれば、ＵＳＢデバイスが無線通信デバイスであるため、デバイス本体の先端部近傍には、アンテナが配置されることが多い。上述したように、固定部材は、デバイス本体の先端部まで延在する必要がなく、アンテナから離れた位置に配置することができることから、固定部材を金属で形成した場合であっても、無線通信の通信性能への影響が抑制される。
【００１３】
［適用例４］上記適用例に係るＵＳＢデバイスの接続構造において、前記デバイス本体の前記凹部には、前記ＵＳＢプラグを挿入する方向側の内壁に、入り口側が狭くなるような段差が形成されており、前記固定部材の前記凸部には、前記凹部の段差に係合するために、前記ＵＳＢプラグを挿入する方向側の端面に、根元側が狭くなるような段差が形成されていることが望ましい。
【００１４】
このＵＳＢデバイスの接続構造によれば、デバイス本体の凹部には、入り口側が狭くなるような段差が形成されており、固定部材の凸部には、凹部の段差に係合するために、根元側が狭くなるような段差が形成されている。このため、凹部に嵌挿された凸部が離脱しにくくなるため、ＵＳＢデバイスの盗難を一層抑制することが可能となる。
【００１５】
［適用例５］本適用例に係る電子機器システムは、ＵＳＢレセプタクルを有する電子機器と、デバイス本体、及び前記デバイス本体から突出するＵＳＢプラグを有し、前記ＵＳＢレセプタクルに前記ＵＳＢプラグを挿入することによって前記電子機器に接続されるＵＳＢデバイスと、前記ＵＳＢデバイスを前記電子機器に固定するための固定部材と、を備えた電子機器システムであって、前記ＵＳＢデバイスの前記デバイス本体には、前記ＵＳＢレセプタクルから前記ＵＳＢプラグを離脱させる方向と交差する方向に凹んだ凹部が形成され、前記固定部材は、前記凹部に嵌挿される凸部を備えるとともに、前記電子機器に固定されることを特徴とする。
【００１６】
この電子機器システムによれば、ＵＳＢデバイスのデバイス本体に、ＵＳＢプラグを離脱させる方向と交差する方向に凹んだ凹部が形成され、この凹部には、電子機器に固定される固定部材の凸部が嵌挿される。この結果、ＵＳＢレセプタクルからＵＳＢデバイスを離脱させることができなくなり、ＵＳＢデバイスの盗難を簡単な構成で防止することが可能となる。
【００１７】
［適用例６］本適用例に係るＵＳＢデバイスは、デバイス本体、及び前記デバイス本体から突出するＵＳＢプラグを有し、電子機器に備わるＵＳＢレセプタクルに前記ＵＳＢプラグを挿入することによって前記電子機器に接続されるＵＳＢデバイスであって、前記デバイス本体には、前記ＵＳＢレセプタクルから前記ＵＳＢプラグを離脱させる方向と交差する方向に凹んだ凹部が形成され、当該凹部には、前記ＵＳＢデバイスを前記電子機器に固定するための固定部材に備わる凸部が嵌挿されることを特徴とする。
【００１８】
このＵＳＢデバイスによれば、デバイス本体に、ＵＳＢプラグを離脱させる方向と交差する方向に凹んだ凹部が形成され、この凹部には、電子機器に固定される固定部材の凸部が嵌挿される。この結果、ＵＳＢレセプタクルからＵＳＢデバイスを離脱させることができなくなり、ＵＳＢデバイスの盗難を簡単な構成で防止することが可能となる。
【図面の簡単な説明】
【００１９】
【図１】第１実施形態のプロジェクターを示す斜視図であり、（ａ）は、前方から見た図、（ｂ）は、後方から見た図。
【図２】ＵＳＢデバイスを示す図であり、（ａ）は、表側から見た平面図、（ｂ）は、側面図、（ｃ）は、裏側から見た平面図、（ｄ）は、（ａ）におけるＡ−Ａ断面図。
【図３】ＵＳＢデバイスの内部構造を示す図であり、（ａ）は、上ケースのみを裏側から見た平面図、（ｂ）は、上ケースを外した状態のＵＳＢデバイスを表側から見た平面図。
【図４】ＵＳＢデバイスの内部構造を示す図であり、図２（ｃ）におけるＢ−Ｂ断面図。
【図５】固定部材を示す図であり、（ａ）は、斜視図、（ｂ）は、平面図、（ｃ）は、正面図、（ｄ）は、側面図。
【図６】ＵＳＢデバイスをプロジェクターに固定する手順を説明するための側面図であり、（ａ）は、ＵＳＢデバイスに固定部材を取り付ける様子を示す図、（ｂ）は、ＵＳＢレセプタクルにＵＳＢデバイスを接続する様子を示す図、（ｃ）は、固定部材をプロジェクターに固定する様子を示す図。
【図７】ＵＳＢデバイスをプロジェクターに固定した後の状態を示す側面図。
【図８】第２実施形態のプロジェクターを後方から見た斜視図であり、（ａ）は、全体図、（ｂ）は、（ａ）におけるＣ部拡大図。
【図９】第２実施形態の固定部材を示す図であり、（ａ）は、斜視図、（ｂ）は、平面図、（ｃ）は、正面図、（ｄ）は、側面図。
【図１０】第２実施形態の固定部材をインターフェイスパネルに取り付ける様子を示す正面図。
【図１１】第２実施形態において、ＵＳＢデバイスをプロジェクターに固定する手順を説明するための側面図であり、（ａ）は、ＵＳＢレセプタクルにＵＳＢデバイスを接続する様子を示す図、（ｂ）は、ＵＳＢデバイスの凹部に固定部材の凸部を嵌挿させる様子を示す図、（ｃ）は、凸部の段差と凹部の段差とを係合させる様子を示す図。
【図１２】第２実施形態において、ＵＳＢデバイスをプロジェクターに固定する手順を説明するための側面図であり、（ａ）は、固定部材をプロジェクターに固定する様子を示す図、（ｂ）は、筐体の底面に脚部を取り付ける様子を示す図、（ｃ）は、筐体の底面に脚部を取り付けた後の状態を示す図。
【発明を実施するための形態】
【００２０】
（第１実施形態）
以下、ＵＳＢデバイスの接続構造の第１実施形態について、図面を参照して説明する。
図１は、ＵＳＢデバイスが接続される電子機器としてのプロジェクターを示す斜視図であり、（ａ）は、前方から見た図、（ｂ）は、後方から見た図である。プロジェクターは、外部の画像供給装置から入力される画像情報に基づく画像を、スクリーン等に投写して表示する電子機器である。
【００２１】
図１（ａ）、（ｂ）に示すように、プロジェクター１は、本体が筐体２に収容された構成を有している。プロジェクター１は、画像を投写する投写レンズ３を備えており、筐体２の前面２ｆには、投写レンズ３を露出させるための開口部４が形成されている。筐体２の背面２ｂには、金属板によって構成されるインターフェイスパネル５が設けられており、インターフェイスパネル５には、図示しない画像供給装置から画像情報を入力するための様々な入力端子６とともに、ＵＳＢレセプタクル１０が備えられている。ＵＳＢレセプタクル１０は、ＵＳＢデバイスを接続するための接続端子（タイプＡ端子）である。
【００２２】
ＵＳＢレセプタクル１０は、ＵＳＢデバイス２０のＵＳＢプラグ２２（図２参照）が挿入される長方形の開口部１１を備えており、本実施形態では、開口部１１の長辺が水平になるような向きで配置されている。また、インターフェイスパネル５のＵＳＢレセプタクル１０の近傍には、開口部１１の中央下側にねじ穴１２が設けられており、ねじ穴１２の左右両側には、上下方向に細長い一対のスリット１３が形成されている。
【００２３】
次に、ＵＳＢデバイス２０について説明する。
ＵＳＢデバイス２０は、電子機器に所定の機能を付加するための電子デバイスであり、電子機器（本実施形態では、プロジェクター１）のＵＳＢレセプタクル１０に接続される。例えば、無線通信機能を付加するためのＵＳＢデバイス（無線通信デバイス）がプロジェクター１のＵＳＢレセプタクル１０に接続された場合には、プロジェクター１は、無線通信によって送信される画像情報を受信して、この画像情報に基づく画像を投写することが可能となる。
【００２４】
図２は、ＵＳＢデバイス２０を示す図であり、（ａ）は、表側から見た平面図、（ｂ）は、側面図、（ｃ）は、裏側から見た平面図、（ｄ）は、（ａ）におけるＡ−Ａ断面図である。なお、本実施形態では、ＵＳＢデバイス２０をＵＳＢレセプタクル１０に接続した際に、上方に面する側を表側、下方に面する側を裏側とする。また、本明細書では、ＵＳＢレセプタクル１０にＵＳＢデバイス２０を接続する方向、即ちＵＳＢプラグ２２を挿入する方向を「接続方向Ｄｃ」と呼び、その反対方向、即ちＵＳＢレセプタクル１０からＵＳＢデバイス２０を引き抜く方向を「離脱方向Ｄｒ」と呼ぶ。
【００２５】
図２（ａ）〜（ｄ）に示すように、本実施形態のＵＳＢデバイス２０は、ＵＳＢレセプタクル１０の開口部１１に挿入されるＵＳＢプラグ２２が、デバイス本体２１から接続方向Ｄｃに突出した態様になっている。このため、ユーザーは、ＵＳＢケーブルを用いることなく、ＵＳＢレセプタクル１０の開口部１１（図１参照）にＵＳＢプラグ２２を挿入することによって、ＵＳＢデバイス２０をプロジェクター１に接続させることができる。デバイス本体２１は、表側を覆う上ケース２３と、裏側を覆う下ケース２４とを備えており、図２（ｄ）に示すように、ＵＳＢプラグ２２やその他の電子部品２５等が実装された回路基板２６が、上ケース２３と下ケース２４とで囲まれた空間に収容されている。また、図２（ｃ）に示すように、下ケース２４には、ＵＳＢプラグ２２の近傍に一対のスリット２７が形成されており、このスリット２７は、接続方向Ｄｃ（離脱方向Ｄｒ）に沿って細長い開口形状を有している。
【００２６】
図３及び図４は、ＵＳＢデバイス２０の内部構造を示す図であり、図３（ａ）は、上ケース２３のみを裏側から見た平面図、図３（ｂ）は、上ケース２３を外した状態のＵＳＢデバイス２０を表側から見た平面図である。また、図４は、図２（ｃ）におけるＢ−Ｂ断面図である。なお、本明細書では、デバイス本体２１において、ＵＳＢプラグ２２が突出している側の端部、即ちＵＳＢレセプタクル１０に接続した際に、電子機器（プロジェクター１）に近い側の端部を「基端部」と呼び、その反対側の端部、即ち、電子機器（プロジェクター１）から遠い側の端部を「先端部」と呼ぶ。
【００２７】
図３（ｂ）に示すように、下ケース２４のスリット２７は、デバイス本体２１の基端部においてＵＳＢプラグ２２の両脇（横）に、即ちＵＳＢプラグ２２に対して接続方向Ｄｃ（離脱方向Ｄｒ）と交差する方向に並ぶように設けられている。また、図３（ａ）に示すように、上ケース２３には、下ケース２４の一対のスリット２７のそれぞれに対応する位置に、一対の穴２８が形成されている。そして、図４に示すように、スリット２７及び穴２８は、上ケース２３と下ケース２４を重ね合わせた状態において連通し、デバイス本体２１の裏側から表側に向かって、即ちＵＳＢデバイス２０の接続方向Ｄｃ及び離脱方向Ｄｒに交差する方向に凹んだ凹部２９を構成する。
【００２８】
ここで、図４に示すように、スリット２７及び穴２８の幅、即ち接続方向Ｄｃ（離脱方向Ｄｒ）の長さは、スリット２７の幅Ｌｓのほうが穴２８の幅Ｌｈよりも短く（狭く）なっており、穴２８は、接続方向Ｄｃ側の部位において、Ｌｈ−Ｌｓだけ下ケース２４で覆われている。言い替えれば、凹部２９の接続方向Ｄｃ側の内壁には、下ケース２４側、即ち凹部２９の入り口側がＬｈ−Ｌｓだけ狭くなるような段差２９ａが形成されている。
【００２９】
なお、このＵＳＢデバイス２０が無線通信デバイスである場合には、良好な通信性能を発揮するために、無線通信を行うためのアンテナは、デバイス本体２１の先端部に配置される。例えば、回路基板２６上の先端部に相当する領域２６ａ（図３（ｂ）参照）に、アンテナとして機能する配線パターンが形成される。
【００３０】
このＵＳＢデバイス２０は、ユーザーがプロジェクター１のＵＳＢレセプタクル１０に接続することによって使用可能となる。そして、使用後には、ユーザーがＵＳＢレセプタクル１０から引き抜いて離脱させれば、ＵＳＢデバイス２０を他のプロジェクター１で使用することもできる。一方、このＵＳＢデバイス２０を特定のプロジェクター１でのみ使用する場合には、ＵＳＢレセプタクル１０に常時接続したままにしておくことによって、接続や離脱の作業を不要にすることができる。ただし、この場合には、第三者に許可なく持ち出されたり、盗まれたりしてしまう恐れがあることから、本実施形態では、固定部材を用いて、ＵＳＢデバイス２０をプロジェクター１に固定するようにしている。
【００３１】
図５は、固定部材を示す図であり、（ａ）は、斜視図、（ｂ）は、平面図、（ｃ）は、正面図、（ｄ）は、側面図である。
図５（ａ）〜（ｄ）に示すように、固定部材３０は、例えば、金属板で形成される部材であり、ＵＳＢデバイス２０を支持するデバイス支持部３１と、デバイス支持部３１の一端から垂直に延出する壁部３２とを有している。
【００３２】
デバイス支持部３１は、ＵＳＢデバイス２０の裏側（下ケース２４側）で基端部を覆う平板状の部位であり、ＵＳＢデバイス２０に対して平行に装着される。つまり、ＵＳＢデバイス２０に装着された状態では、デバイス支持部３１は、ＵＳＢデバイス２０の接続方向Ｄｃ（離脱方向Ｄｒ）と平行な姿勢になる。デバイス支持部３１には、ＵＳＢデバイス２０の凹部２９に対応する位置に、凹部２９に嵌挿される凸部３３が形成されている。凸部３３は、デバイス支持部３１に対して垂直な方向、即ちＵＳＢデバイス２０の接続方向Ｄｃ（離脱方向Ｄｒ）と交差する方向に突出しており、具体的には、壁部３２が延出する方向と反対の方向に突出している。また、図５（ｄ）に示すように、凸部３３の幅Ｌｆは、凸部３３が凹部２９に嵌挿できるように、凹部２９の入り口（スリット２７）の幅Ｌｓよりもわずかに短く設定されている。そして、凸部３３には、凹部２９の段差２９ａに対応するように、ＵＳＢデバイス２０の接続方向Ｄｃ側の端面において、根元側の幅がＬｈ−Ｌｓだけ狭くなるような段差３３ａが形成されている。
【００３３】
壁部３２は、プロジェクター１のインターフェイスパネル５と対峙する平板状の部位であり、インターフェイスパネル５のスリット１３に対応する位置には、スリット１３に嵌挿される突起３４が形成されている。また、図５（ｃ）に示すように、壁部３２には、インターフェイスパネル５のねじ穴１２に対応する位置に、ねじ穴１２を露出させるための開口部３５が形成されている。
【００３４】
図６は、ＵＳＢデバイス２０をプロジェクター１に固定する手順を説明するための側面図であり、（ａ）は、ＵＳＢデバイス２０に固定部材３０を取り付ける様子を示す図、（ｂ）は、ＵＳＢレセプタクル１０にＵＳＢデバイス２０を接続する様子を示す図、（ｃ）は、固定部材３０をプロジェクター１に固定する様子を示す図である。また、図７は、ＵＳＢデバイス２０をプロジェクター１に固定した後の状態を示す側面図であり、部分的に断面を示している。
【００３５】
図６（ａ）に示すように、まず、固定部材３０をＵＳＢデバイス２０に取り付ける。具体的には、ＵＳＢデバイス２０の凹部２９に、固定部材３０の凸部３３を嵌挿させ、その状態で両者を保持する。そして、図６（ｂ）に示すように、ＵＳＢデバイス２０のＵＳＢプラグ２２をＵＳＢレセプタクル１０に挿入するとともに、固定部材３０の突起３４を、インターフェイスパネル５のスリット１３（図１（ｂ）参照）に挿入する。その後、図６（ｃ）に示すように、ねじ４０を、壁部３２の開口部３５（図５（ｃ）参照）を通して、ねじ穴１２（図１（ｂ）参照）に螺合させると、固定部材３０がプロジェクター１に固定され、ＵＳＢデバイス２０は、固定部材３０によってプロジェクター１に固定される。つまり、固定部材３０の凸部３３がＵＳＢデバイス２０の凹部２９に嵌挿されていることにより、ＵＳＢデバイス２０の離脱方向Ｄｒへの移動が抑制され、ＵＳＢデバイス２０の取り外しが不能になる。
【００３６】
ここで、図７に示すように、ねじ４０を十分に締め付けて、固定部材３０の壁部３２がプロジェクター１のインターフェイスパネル５に当接した状態にすると、固定部材３０の凸部３３の段差３３ａが、ＵＳＢデバイス２０の凹部２９の段差２９ａに係合する。このため、デバイス支持部３１を下方に折り曲げようとする力を加えた場合でも、段差同士の係合により、凸部３３が凹部２９から外れてしまうことが抑制される。なお、ねじ４０は、簡単に外されないように、頭部の溝が特殊な形状をした特殊ねじ、即ちプラスドライバーやマイナスドライバーでは取り外しができないねじ等を用いることが望ましい。
【００３７】
以上説明したように、本実施形態のＵＳＢデバイス２０の接続構造によれば、以下の効果を得ることができる。
【００３８】
（１）本実施形態のＵＳＢデバイス２０の接続構造によれば、ＵＳＢデバイス２０のデバイス本体２１に、離脱方向Ｄｒと交差する方向に凹んだ凹部２９が形成され、この凹部２９には、プロジェクター１に固定される固定部材３０の凸部３３が嵌挿される。この結果、ＵＳＢレセプタクル１０からＵＳＢデバイス２０を離脱させることができなくなり、ＵＳＢデバイス２０の盗難を簡単な構成で防止することが可能となる。
【００３９】
（２）本実施形態のＵＳＢデバイス２０の接続構造によれば、固定部材３０の凸部３３は、ＵＳＢデバイス２０に設けられた凹部２９に嵌挿されるため、外部から凸部３３を視認できなくなる。つまり、ＵＳＢデバイス２０と固定部材３０とがどのように固定されているのかを外部から認識し難くなるため、盗難を一層抑制することが可能となる。
【００４０】
（３）本実施形態のＵＳＢデバイス２０の接続構造によれば、凹部２９がＵＳＢプラグ２２の近傍、即ちデバイス本体２１の基端部に形成されているため、固定部材３０は、デバイス本体２１の先端部まで延在する必要はなく、固定部材３０を小型化することが可能となる。また、凹部２９がデバイス本体２１の基端部に形成されているため、ＵＳＢデバイス２０が無線通信デバイスである場合において、その先端部に備わるアンテナから遠い位置に固定部材３０を配置することができる。この結果、固定部材３０を金属で形成した場合であっても、無線通信の通信性能への影響が抑制される。
【００４１】
（４）本実施形態のＵＳＢデバイス２０の接続構造によれば、ＵＳＢデバイス２０の凹部２９（スリット２７及び穴２８）は、ＵＳＢプラグ２２の両脇に設けられている。元々この位置は、電子部品を実装できるほどの十分な領域を確保することが困難な位置であり、有効に活用しにくい位置であることから、この位置に凹部２９を設けても、ＵＳＢデバイス２０を大型化せずに済む。
【００４２】
（５）本実施形態のＵＳＢデバイス２０の接続構造によれば、デバイス本体２１の凹部２９には、入り口側が狭くなるような段差２９ａが形成されおり、固定部材３０の凸部３３に形成された根元側が狭くなるような段差３３ａに係合する。このため、凹部２９に嵌挿された凸部３３が離脱しにくくなるため、ＵＳＢデバイス２０の盗難を一層抑制することが可能となる。
【００４３】
（６）本実施形態のＵＳＢデバイス２０の接続構造によれば、固定部材３０がねじ止めされるインターフェイスパネル５が、金属板によって構成されるため、プロジェクター１に対する固定部材３０の固定を強固にすることが可能となる。
【００４４】
（第２実施形態）
以下、ＵＳＢデバイスの接続構造の第２実施形態について、図面を参照して説明する。
図８は、本実施形態のプロジェクター１を後方から見た斜視図であり、（ａ）は、全体図、（ｂ）は、（ａ）におけるＣ部拡大図である。
図８（ａ）、（ｂ）に示すように、本実施形態のインターフェイスパネル５のＵＳＢレセプタクル１０の近傍には、開口部１１の下側の左右両側に、上下に細長いスリット１４が設けられている。このスリット１４には、固定部材３０が予め取り付けられており、固定部材３０は、スリット１４に沿って上下に移動可能になっている。
【００４５】
図９は、本実施形態の固定部材３０を示す図であり、（ａ）は、斜視図、（ｂ）は、平面図、（ｃ）は、正面図、（ｄ）は、側面図である。また、図１０は、固定部材３０をインターフェイスパネル５に取り付ける様子を示す正面図である。
図９（ａ）〜（ｄ）に示すように、固定部材３０は、例えば、金属板で形成される部材であり、第１実施形態と同様、ＵＳＢデバイス２０を支持する平板状のデバイス支持部３１と、デバイス支持部３１の一端から垂直に延出する壁部３２とを有している。なお、デバイス支持部３１に関しては、第１実施形態と同一の構造であるため、説明を省略する。
【００４６】
壁部３２は、プロジェクター１のインターフェイスパネル５と対峙する平板状の部位であり、インターフェイスパネル５のスリット１４に対応する位置には、スリット１４に挿通される一対のスライド部３６が設けられている。スライド部３６は、壁部３２から筐体２の内部に向かって、即ちＵＳＢデバイス２０の接続方向Ｄｃに向かって延出しており、その端部には、平板状の規制部３７が備えられている。規制部３７は、壁部３２と平行な姿勢で配置されており、規制部３７の下端には、ＵＳＢデバイス２０の接続方向Ｄｃに延出する平板状の固定部３８が接続されている。固定部３８には、ねじを通すための開口部３９が形成されており、開口部３９にねじ４０を通して筐体２内の所定の部位にねじ止めすることにより、固定部材３０を筐体２に固定できるようになっている。
【００４７】
図１０に示すように、インターフェイスパネル５のスリット１４は、インターフェイスパネル５の下端にまで達しており、固定部材３０は、インターフェイスパネル５の下端から、スライド部３６をスリット１４に挿通させることによって取り付けられる。インターフェイスパネル５は、固定部材３０が取り付けられた後、筐体２の背面２ｂに装着される。
【００４８】
インターフェイスパネル５に取り付けられた固定部材３０は、スリット１４に沿って上下方向に移動することができる一方、規制部３７により、ＵＳＢデバイス２０の離脱方向Ｄｒには引き抜けないようになっている。ただし、壁部３２と規制部３７との間隔Ｌｂ（図９（ｄ）参照）、即ちスライド部３６の接続方向Ｄｃ（離脱方向Ｄｒ）の長さは、インターフェイスパネル５の厚み（図示せず）よりも広く設定されており、固定部材３０は、前後方向、即ちＵＳＢデバイス２０の接続方向Ｄｃ及び離脱方向Ｄｒに僅かに移動可能になっている。
上記以外の構成（ＵＳＢデバイス２０の構成を含む）については、第１実施形態と同一である。
【００４９】
図１１及び図１２は、本実施形態において、ＵＳＢデバイス２０をプロジェクター１に固定する手順を説明するための側面図であり、図１１（ａ）は、ＵＳＢレセプタクル１０にＵＳＢデバイス２０を接続する様子を示す図、図１１（ｂ）は、ＵＳＢデバイス２０の凹部２９に固定部材３０の凸部３３を嵌挿させる様子を示す図、図１１（ｃ）は、凸部３３の段差３３ａと凹部２９の段差２９ａとを係合させる様子を示す図である。また、図１２（ａ）は、固定部材３０をプロジェクター１に固定する様子を示す図、図１２（ｂ）は、筐体２の底面に脚部を取り付ける様子を示す図、図１２（ｃ）は、筐体２の底面に脚部を取り付けた後の状態を示す図である。なお、図１２に示すように、固定部材３０は、筐体２の内部の所定の部位（構造体７）にねじ止めされるようになっており、筐体２の底面には、ねじ止めを行うための開口部８が形成されている。
【００５０】
図１１（ａ）に示すように、まず、固定部材３０をスリット１４（図８参照）の下側に位置させた状態で、ＵＳＢデバイス２０のＵＳＢプラグ２２をＵＳＢレセプタクル１０に挿入する。そして、図１１（ｂ）に示すように、スリット１４に沿って固定部材３０を上方に移動させ、ＵＳＢデバイス２０の凹部２９に、固定部材３０の凸部３３を嵌挿させる。その後、図１１（ｃ）に示すように、固定部材３０を前方（接続方向Ｄｃ）にずらすと、固定部材３０の凸部３３の段差３３ａ（図９（ｄ）参照）が、ＵＳＢデバイス２０の凹部２９の段差２９ａ（図４参照）に係合する。
【００５１】
次いで、図１２（ａ）に示すように、筐体２の底面の開口部８からねじ４０及びドライバーを挿入し、固定部材３０を筐体２内の構造体７にねじ４０で固定する。この結果、ＵＳＢデバイス２０は、固定部材３０によってプロジェクター１に固定される。つまり、ＵＳＢデバイス２０の離脱方向Ｄｒへの移動が抑制され、ＵＳＢデバイス２０の取り外しが不能になる。なお、第１実施形態と同様、ねじ４０は、特殊ねじを用いることが望ましい。その後、図１２（ｂ）、（ｃ）に示すように、開口部８を覆い隠すように、筐体２の底面に、プロジェクター１を支持するための脚部５０を取り付けると、固定部材３０がねじ４０で固定されていることを外部から視認できなくなる。
【００５２】
以上説明したように、本実施形態のＵＳＢデバイスの接続構造によれば、第１実施形態と同様の効果を得ることができる。
また、本実施形態のＵＳＢデバイスの接続構造によれば、固定部材３０と筐体２とを固定しているねじ４０を外部から視認できないようにしているため、盗難を抑制する効果が一層向上する。
【００５３】
（変形例）
また、上記実施形態は、以下のように変更してもよい。
【００５４】
上記実施形態では、電子機器の例として、プロジェクター１について説明しているが、電子機器は、プロジェクター１に限定されず、ＵＳＢレセプタクル１０を備えた電子機器であれば、他の電子機器（例えば、パーソナルコンピューター）にも適用可能である。
【００５５】
上記実施形態では、ＵＳＢデバイス２０が無線通信デバイスである場合を例にして説明したが、ＵＳＢデバイス２０は、無線通信デバイスに限定されず、様々なデバイスに適用可能である。
【００５６】
上記実施形態では、ＵＳＢデバイス２０の凹部２９及び固定部材３０の凸部３３の双方に段差２９ａ，３３ａを設けているが、段差２９ａ，３３ａは必須の構成ではない。
【００５７】
上記実施形態では、凹部２９を、ＵＳＢプラグ２２の両脇に設けているが、他の位置に設けてもよい。
【００５８】
上記実施形態では、ＵＳＢデバイス２０に一対（２つ）の凹部２９が設けられ、固定部材３０に一対（２つ）の凸部３３が設けられているが、凹部２９及び凸部３３は、それぞれが２つの場合に限定されず、１つであってもよいし、３つ以上であってもよい。
【００５９】
上記実施形態では、ＵＳＢデバイス２０に設けられている凹部２９は、裏側にのみ開口しているが、表裏を貫通するようにしてもよい。
【００６０】
上記実施形態では、凹部２９は、裏側から表側に向かって凹むように形成されているが、凹部２９の形成方向は、離脱方向Ｄｒに交差する方向であれば、上記に限定されない、例えば、表側から裏側に向かって凹ませてもよいし、横方向（左右方向）や斜め方向に凹ませてもよい。なお、上記実施形態では、固定部材３０が、ＵＳＢデバイス２０の裏側（下側）に装着される態様を示したが、凹部２９の形成方向に応じて固定部材３０を装着する位置は異なる。つまり、固定部材３０をＵＳＢデバイス２０の表側（上側）に装着する態様や側面に装着する態様にすることも可能である。
【００６１】
上記実施形態において、ＵＳＢデバイス２０及び固定部材３０は、様々な電子機器で共通に使用できることが望ましいが、ＵＳＢレセプタクル１０の周辺構造等の違いにより、固定部材３０を共有することができない場合であっても、各電子機器に応じた複数種類の固定部材３０を用意すれば、１種類のＵＳＢデバイス２０を、様々な電子機器に固定することが可能となる。
【符号の説明】
【００６２】
１…プロジェクター、２…筐体、２ｂ…背面、２ｆ…前面、３…投写レンズ、４…開口部、５…インターフェイスパネル、６…入力端子、７…構造体、８…開口部、１０…ＵＳＢレセプタクル、１１…開口部、１２…ねじ穴、１３…スリット、１４…スリット、２０…ＵＳＢデバイス、２１…デバイス本体、２２…ＵＳＢプラグ、２３…上ケース、２４…下ケース、２５…電子部品、２６…回路基板、２６ａ…領域、２７…スリット、２８…穴、２９…凹部、２９ａ…段差、３０…固定部材、３１…デバイス支持部、３２…壁部、３３…凸部、３３ａ…段差、３４…突起、３５…開口部、３６…スライド部、３７…規制部、３８…固定部、３９…開口部、４０…ねじ、５０…脚部、Ｄｃ…接続方向、Ｄｒ…離脱方向。
【図１】
0005434645.tif 000002
【図２】
0005434645.tif 000003
【図３】
0005434645.tif 000004
【図４】
0005434645.tif 000005
【図５】
0005434645.tif 000006
【図６】
0005434645.tif 000007
【図７】
0005434645.tif 000008
【図８】
0005434645.tif 000009
【図９】
0005434645.tif 000010
【図１０】
0005434645.tif 000011
【図１１】
0005434645.tif 000012
【図１２】
0005434645.tif 000013